(57)【特許請求の範囲】
【請求項１】
部品組立体において、
第１面に、該第１面から延出し第１方向に折れ曲がった係止部と、該第１面に対して垂直方向に延び前記第１方向と交差する面で構成された平板状の突起部と、を有する第１部品と、
前記第１部品の第１面に対向する当該第２部品の第１面に、前記第１部品の係止部が挿通され係止される第１穴と、前記第１部品の突起部が挿通される部分とを有し、前記第１部品が当該第２部品に装着される際に前記第１部品の突起部の先端部が接触し前記第１方向に前記第１部品を移動させる斜面部をもち、前記第１部品の係止部が係止された際、前記突起部の側面が前記斜面部の前記第１方向側の端部に接触する位置に配置される部位とを有することを特徴とする第２部品と、
を備えることを特徴とする部品組立体。
【請求項２】
前記第２部品の部位は、前記第１部品の突起部の前記第１方向側の部分が接触して前記第１部品の係止部を前記第１穴と離間させる部分を有する、ことを特徴とする請求項１記載の部品組立体。
【請求項３】
前記第１部品の突起部の先端部は、前記第２部品への装着時に前記第２部品の斜面部に擦り合う形状の斜面部を有する、ことを特徴とする請求項１または２記載の部品組立体。
【請求項４】
前記第１部品の突起部が挿通される部分は、前記第１部品の突起部より大きいサイズの第２穴であり、
前記第２部品の部位は、前記第１部品の突起部が所定方向からの進入に対して該突起部の移動を規制する部分を有する、ことを特徴とする請求項１乃至３のいずれか１項に記載の部品組立体。
【請求項５】
前記第２部品は、当該第２部品の第１面と所定角を成し該第１面に続く第２面を有し、
前記第２穴は、前記第１面と前記第２面とに広がる穴である、ことを特徴とする請求項４記載の部品組立体。
【請求項６】
前記第１部品は、前記第１方向側の先端に前記係止部と対向して設けられ、前記第１部品が前記第２部品に着脱される際に前記第１部品を滑動させる斜面部を有する、ことを特徴とする請求項１乃至５のいずれか１項に記載の部品組立体。
【請求項７】
第１面に、該第１面から延出し第１方向に折れ曲った係止部と、該第１面に対して垂直方向に延び前記第１方向と交差する面で構成された平板状の突起部とを有し、当該第１部品の第１面と所定角を成し該第１面に続く第２面と、該第２面の内側に突出する凸部と、を有する第１部品と、
前記第１部品の第１面に対向する当該第２部品の第１面に、前記第１部品の係止部が挿通され係止される第１穴と、前記第１部品の突起部が挿通される第２穴とを有し、前記第１部品が当該第２部品に装着される際に前記第１部品の突起部の先端部が接触し前記第１方向に前記第１部品を移動させる斜面部をもつ部位と、前記第１部品の前記所定角と同角を成し該第１面に続く第２面と、前記第１部品が当該第２部品へ装着された際に、前記第１部品の第２面に形成された前記凸部が嵌合する前記第２面に形成された窪みと、を有する第２部品と、
を備えることを特徴とする部品組立体。
【請求項８】
前記第１部品は、当該第１部品の前記第２面にネジ挿通穴を有し、
前記第２部品は、前記第１部品のネジ挿通穴に対応する当該第２部品の前記第２面の位置にネジ穴を有する、ことを特徴とする請求項７記載の部品組立体。
【請求項９】
前記第１部品は、当該第１部品の第１面と所定角を成し該第１面に続く第２面と、前記突起部を有するとともに、さらに、該第２面の内側に突出して該突起部を支持する支持部とを有する、ことを特徴とする請求項１乃至８のいずれか１項に記載の部品組立体。
【請求項１０】
前記第２部品は、当該第２部品の第１面に第３部品が覗く第３穴を有し、
前記第１部品は、当該第１部品が前記第２部品へ装着された際に、前記第３穴に対応する当該第１部品の前記第１面の位置に穴を有する、ことを特徴とする請求項１乃至９のいずれか１項に記載の部品組立体。
【請求項１１】
前記第１部品は、樹脂部品であり、
前記第２部品は、金属部品である、ことを特徴とする請求項１乃至１０のいずれか１項に記載の部品組立体。
【請求項１２】
前記請求項１乃至１１のいずれか１項に記載の部品組立体を筐体の一部として有し、
前記第２部品が筐体フレームであり、
前記第１部品が前記筐体フレームに固定されるカバーである、ことを特徴とする電子機器。
【発明の詳細な説明】
【技術分野】
【０００１】
本発明は、複数の部品が組み立てられた部品組立体、および筐体の一部が部品組立体で構成された電子機器に関する。
【背景技術】
【０００２】
パーソナルコンピュータや携帯電話機などといった電子機器は、使いやすさや機能性などが求められているが、デザインも重要な選択ポイントとなってきている。通常は、高強度な金属製の筐体フレームに電子部品が取り付けられることによって、衝撃などによる電子部品の破損が防止されており、さらに筐体フレームにプラスチック製のカバーが装着されることによって、デザイン性の向上が図られている。
【０００３】
ところで、修理のときなどには、カバーを筐体フレームから取り外し、その後、再びカバーを筐体フレームに取り付けることとなる。このとき、誤ったネジ穴に無理やりネジが固定されてしまうと、カバーが破損してしまったり、見栄えが悪くなってしまったり、カバーと筐体フレームとの間に隙間が生じ、その隙間から水やホコリなどが浸入して故障の原因となってしまう恐れがある。このような不具合を回避するため、筐体フレームにカバーを装着する際には、一旦、カバーが筐体フレームに仮固定され、その後でカバーが筐体フレームにネジ留めされることが一般的である。筐体フレームにカバーを仮固定する方法としては、携帯電話機の電池カバーを本体筐体に対して着脱自在に装着する技術（特許文献１参照）や、ビデオテープなどといった記録カートリッジのカバーを開閉する技術（特許文献２参照）などが流用され、カバーに設けられた爪や凸部を筐体フレーム側に設けられた係止孔や凹部に嵌合させることが一般的に行われている。以下では、従来から行われている３つのカバー固定方法について説明する。
【０００４】
図１は、筐体フレームにカバーを固定する１つ目の方法を説明するための図である。
【０００５】
図１に示すカバー固定方法では、まず、カバー５１１に設けられた凸部５１１ａが筐体フレーム５１２の凹部に嵌め込まれて、カバー５１１が筐体フレーム５１２に仮固定された後、カバー５１１が裏面側からネジ５１５で固定される。また、カバー５１１と同じ樹脂製の樹脂部品５１３，５１４が一体成形などによって筐体フレーム５１２に固定されており、それら樹脂部品５１３，５１４とカバー５１１とによって電子部品や筐体フレーム５１２が隠蔽される。このカバー固定方法によると、誤装着などを回避してカバー５１１を筐体フレーム５１２に容易に装着することができるが、樹脂部品５１３，５１４を筐体フレーム５１２に固定したり、リサイクル時に樹脂部品５１３，５１４を解体するのにコストや手間がかかってしまううえ、カバー５１１のバリエーションの変更に対応しにくいという問題がある。
【０００６】
図２は、筐体フレームにカバーを固定する２つ目の方法を説明するための図である。
【０００７】
カバー５２１には、フック５２１ａと爪５２１ｂが設けられており、筐体フレーム５２２には、カバー５２１のフック５２１ａおよび爪５２１ｂそれぞれに対応する位置に係止孔が設けられている。図２（Ａ）に示すように、カバー５２１のフック５２１ａおよび爪５２１ｂそれぞれが筐体フレーム５２２の係止孔に係合されることによって、カバー５２１が筐体フレーム５２２に仮固定され、その後、カバー５２１が筐体フレーム５２２にネジ止めされる。この図２に示すカバー固定方法では、コストを抑えてカバー５２１を筐体フレーム５２２に仮固定することができるが、図２（Ｂ）に示すように、カバー５２１を筐体フレーム５２２から取り外す際に爪５２１ｂが破損してしまうことがあり、カバー５２１を繰り返し装着することができないという問題がある。
【０００８】
図３は、筐体フレームにカバーを固定する３つ目の方法を説明するための図である。
【０００９】
図３に示すカバー５３１には、図２に示すフック５２１ａと同様のフック５３１ａが設けられており、図２に示す爪５２１ｂに代えて突起５３１ｂが設けられている。また、カバー５３１には、フック５３１ａと同じ側の壁に、補助爪５３１ｃが設けられている。突起５３１ｂを利用することによって、図２に示す爪５２１ｂを利用する場合よりも係合が弱くなり、カバー５３１を筐体フレーム５３２から取り外しやすくなるとともに、突起５３１ｂによる係合が外れても補助爪５３１ｃが筐体フレーム５３２に引っ掛かるため、カバー５３１を確実に仮固定することができる。しかし、図３（Ｂ）に示すように、何度か繰り返しカバー５３１を取り外すうちに補助爪５３１ｃの角が削れていき、補助爪５３１ｃによる係合が弱くなるため、図３（Ｃ）に示すように、フック５３１ａが正しく嵌っていない状態でも、カバー５３１の弾性変形によって無理やりに筐体フレーム５３２にネジ止めすることができてしまう。
【特許文献１】ＷＯ９９／１０８６０号公報
【特許文献２】実開平５−５９６８２号公報
【発明の開示】
【発明が解決しようとする課題】
【００１０】
以上のように、従来のカバー固定方法では、コストがかかってしまったり、カバーを数回取り外しただけでカバーが破損してしまったり、カバーが筐体フレームに正しく装着されていない状態でネジ止めできてしまうなどという問題がある。近年では、複数種類のカバーの中から所望の色やデザインのカバーを選ぶことができる電子機器もでてきており、今後は、カバーの交換も一般的に行われるようになってくると想定される。このことから、着脱が容易であるとともに、何度も繰り返し取り外しが可能なカバーおよび筐体フレームの開発が望まれている。
【００１１】
上記事情に鑑み、コストの上昇を抑えて、筐体フレームにカバーを何度も繰り返し着脱することができる部品組立体および電子機器を提供する。
【課題を解決するための手段】
【００１２】
上記目的を達成する部品組立体の基本形態は、
第１面に、第１面から延出し第１方向に折れ曲がった係止部と、第１面に対して垂直方向に延び第１方向と交差する面で構成された平板状の突起部と、を有する第１部品と、
第１部品の第１面に対向する第２部品の第１面に、第１部品の係止部が挿通され係止される第１穴と、第１部品の突起部が挿通される第２穴とを有し、第１部品が第２部品に装着される際に第１部品の突起部の先端部が接触し第１方向に第１部品を移動させる斜面部をもつ部位と、を有する第２部品と、を備えている。
【００１３】
この部品組立体の基本形態によると、第１部品が第２部品に装着される際には、第１部品の突起部の先端が第１部品の斜面部と接触することによって第１部品が第１方向に移動され、その結果、第１部品の係止部が第２部品の第１穴に係止されて第１部品が第２部品に装着される。このため、第１部品を第２部品に対して着脱するときに係止部や突起部にかかる無理な応力を軽減することができ、第１部品の係止部や突起部の破損や磨耗を防止することができる。また、この部品組立体の基本形態では、従来の筐体フレームやカバーに設けられていた爪や突起などの方向や位置を変えるだけで、新たな部品などを用意する必要がないため、コストの上昇を抑えて、第１部品と第２部品とを繰り返し着脱することができる。
【００１４】
また、上記基本形態に対し、
上記第１部品の突起部の先端部は、第２部品への装着時に第２部品の斜面部に擦り合う形状の斜面部を有するという応用形態は好ましい。
【００１５】
この応用形態によると、第２部品の斜面部と第１部品の突起部の先端部との間の摩擦を軽減することができ、第１部品と第２部品とをスムーズに着脱することができる。
【００１６】
また、上記基本形態に対し、
上記第２穴は、第１部品の突起部より大きいサイズの穴であり、
上記第２部品の部位は、第１部品の突起部が所定方向からの進入に対して突起部の移動を規制する部分を有するという応用形態は好適である。
【００１７】
この好適な応用形態によると、第１部品の突起部を第２部品の第２穴に容易に挿入することができるとともに、誤った方向から突起部を挿入しようとすると突起部の移動が規制されるため、誤装着を防止することができる。
【００１８】
また、第１部品に、第１部品の突起部より大きいサイズの第２穴が設けられた応用形態に対し、
第２部品は、第２部品の第１面と所定角を成し該第１面に続く第２面を有し、
上記第２穴は、前記第１面と前記第２面とに広がる穴であるという応用形態はさらに好ましい。
【００１９】
第２部品に第１面と第２面とに広がる第２穴が設けられることによって、第１部品の突起部を容易に挿通することができる。
【００２０】
また、上記基本形態に対し、
第１部品は、第１部品の第１面と所定角を成し第１面に続く第２面と、第２面の内側に突出する凸部と、を有し、
第２部品は、第１部品の所定角と同角を成し第１面に続く第２面と、第１部品が第２部品へ装着された際に、第１部品の第２面に形成された凸部に嵌合する第２面に形成された窪みとを有するという応用形態は好適である。
【００２１】
この好適な応用形態によると、第１部品が第２部品へ装着されると、第１部品に形成された凸部に第２部品に形成された窪みが嵌合するため、第１部品と第２部品とを確実に固定することができる。
【００２２】
また、第１部品の第２面に窪みが設けられ、第２部品の第２面に突起部が設けられた上記応用形態に対し、
上記第１部品は、第１部品の第２面にネジ挿通穴を有し、
上記第２部品は、第１部品のネジ挿通穴に対応する第２部品の第２面の位置にネジ穴を有するという応用形態はさらに好ましい。
【００２３】
第１部品が第２部品に対して正しく装着されていない場合、第１部品と第２面と第２部品の第２面とが平行にならずに、第１部品のネジ挿通穴と第２部品のネジ穴とがずれてしまうこととなる。このため、この応用形態によると、第１部品と第２部品との誤装着を確実に防止することができる。
【００２４】
また、第１部品および第２部品の第２面は、電子機器などの底面に相当すると考えられる。第１部品および第２部品の第２面にネジ挿通穴およびネジ穴が設けられることによって、目立ちにくい底面で第１部品と第２部品とをネジ止めすることができる。
【００２５】
また、上記基本形態に対し、
上記第１部品は、第１部品の第１面と所定角を成し第１面に続く第２面と、突起部を有するとともに、さらに、第２面の内側に突出して突起部を支持する支持部とを有するという応用形態は好ましい。
【００２６】
第１部品に設けられた突起部は、第２部品に装着される際に、第２部品の第１面に設けられた部位と接触するため、突起部が支持部によって第２面側から支持されることによって、第１部品の着脱を妨げずに突起部の強度を高めることができる。
【００２７】
また、上記基本形態に対し、
上記第２部品は、第２部品の第１面に第３部品が覗く第３穴を有し、
上記第１部品は、第１部品が第２部品へ装着された際に、第３穴に対応する第１部品の第１面の位置に穴を有するという応用形態は好ましい。
【００２８】
この好適な部品組立体によると、例えばスイッチなどといった第３部品を第１部品および第２部品の内側に収容するとともに、その第３部品を第１部品および第２部品に設けられた穴から外面に露出することができる。
【００２９】
また、上記基本形態に対し、
上記第１部品は、樹脂部品であり、
上記第２部品は、金属部品であるという応用形態は好ましい。
【００３０】
樹脂部品と金属部品とで構成された部品組立体は、着脱を繰り返すうちに低強度な樹脂部品が磨耗してしまいやすい。部品組立体の基本形態によると、第１部品の係止部や突起部の磨耗が軽減されるため、第１部品が樹脂部品で構成されている場合であっても、第１部品と第２部品を繰り返し着脱することができる。
【００３１】
また、上記目的を達成する電子機器の基本形態は、
上述した部品組立体の基本形態および応用形態のいずれかを筐体の一部として有し、
上記第２部品が筐体フレームであり、
上記第１部品が筐体フレームに固定されるカバーである。
【００３２】
パーソナルコンピュータなどといった電子機器においては、カバーが筐体フレームに対して何度も繰り返し着脱されることが想定される。この電子機器の基本形態によると、コストの上昇を抑えて、筐体フレームにカバーを何度も繰り返し着脱することができる。
【発明の効果】
【００３３】
以上説明したように、部品組立体および電子機器の基本形態によれば、コストの上昇を抑えて、筐体フレームにカバーを何度も繰り返し着脱することができる。
【発明を実施するための最良の形態】
【００３４】
以下、図面を参照して、上記説明した部品組立体および電子機器に対する具体的な実施形態を説明する。
【００３５】
図４は、電子機器の具体的な第１実施形態であるパーソナルコンピュータ１００の外観図である。
【００３６】
このパーソナルコンピュータ１００は、情報を表示する表示装置と、ハードディスク装置やＣＰＵなどが同じ筐体内に一緒に搭載された本体一体型のパーソナルコンピュータである。尚、実際には、パーソナルコンピュータ１００にはキーボードやマウスなども接続されるが、図４では図示を省略している。
【００３７】
図４には、パーソナルコンピュータ１００を前方から見た図が示されている。パーソナルコンピュータ１００は、上前方ケース１１Ａ、上後方ケース１１Ｂ、下前方ケース１２Ａ、および下後方ケース１２Ｂによって構成された空間内に、表面に表示画面２１が広がった液晶パネル、ＣＰＵ、ハードディスク装置、冷却ファン、電源装置、各種基板、およびそれらを相互に接続するケーブルなどが収容されている。上前方ケース１１Ａ、上後方ケース１１Ｂ、下前方ケース１２Ａ、および下後方ケース１２Ｂを合わせたものは、上述した基本形態における筐体の一例に相当する。
【００３８】
また、パーソナルコンピュータ１００の前面には、パーソナルコンピュータ１００を起動するための起動スイッチ３４ａや、表示画面２１上に情報を表示するための表示スイッチ３４ｂなどが設けられており、パーソナルコンピュータ１００の一側面には、ＣＤやＤＶＤ等の光ディスクを装填するための光ディスク装填口３１と、フレキシブルディスク（以下では、ＦＤと称する）を装填するためのＦＤ装填口３２が設けられている。
【００３９】
図５は、パーソナルコンピュータ１００の側面図であり、図６は、パーソナルコンピュータ１００の背面図である。
【００４０】
パーソナルコンピュータ１００は、上前方ケース１１Ａに上後方ケース１１Ｂが取り付けられ、下前方ケース１２Ａに下後方ケース１２Ｂが取り付けられている。上前方ケース１１Ａには、表示画面２１を前面にして液晶パネルが嵌め込まれており、表示画面２１の背面側に、ハードディスク装置や各種基板などが収容されている。また、パーソナルコンピュータ１００の背面には、電源を投入するための主電源スイッチ４０や、ＬＡＮカードなどといった機能拡張用の拡張カードを装填するための拡張カード装填口３３が設けられている。
【００４１】
図７は、パーソナルコンピュータ１００の底面図である。
【００４２】
パーソナルコンピュータ１００内部の上方には、交換可能なハードディスク装置などが収容されており、下方には、通常は交換されない基板などが筐体フレームに保護されて収容されている。例えば、下前方ケース１２Ａは交換可能なプラスチックのカバーであり、金属製の筐体フレーム（図１０参照）にプリント基板が取り付けられ、筐体フレームが下前方ケース１２Ａにネジ５０で固定されている。通常の修理では、上前方ケース１１Ａから上後方ケース１１Ｂのみが取り外されて、パーソナルコンピュータ１００内部の上方に収容されたハードディスク装置の交換などが行われる。
【００４３】
図８は、パーソナルコンピュータ１００の内部構成図である。
【００４４】
パーソナルコンピュータ１００には、図８に示すように、各種プログラムを実行するＣＰＵ１０１、ハードディスク装置１０３に格納されたプログラムが読み出されＣＰＵ１０１での実行のために展開される主メモリ１０２、各種プログラムやデータ等が保存されたハードディスク装置１０３、音声信号を生成して音声を出力するスピーカデバイス１０４、外部装置からデータを入力する入力インタフェース１０５、キーボードやトラックパッドなどを含む操作子１０６、表示画面２１上に情報を表示に関する表示装置１０７、ＦＤ６１が装填され、その装填されたＦＤ６１をアクセスするＦＤドライブ１０８、ＣＤ−ＲＯＭ６２やＤＶＤが装填され、その装填されたＣＤ−ＲＯＭ６２やＤＶＤをアクセスするＣＤ／ＤＶＤドライブ１０９、外部装置へデータを出力する出力インタフェース１１０、および拡張カード６３を使って通信を行う通信インタフェース１１１などが内蔵されており、これらの各種要素は、バス１１２を介して相互に接続されている。
【００４５】
ここで、上述したように、パーソナルコンピュータ１００は、金属製の筐体フレームにプリント基板等の電子部品が取り付けられており、さらに、筐体フレームにプラスチック製のケースが装着されることによって、強度とデザイン性との両立が図られている。以下では、特に、下前方ケース１２Ａと筐体フレームとの固定方法について詳しく説明する。
【００４６】
図９は、上後方ケース１１Ｂを取り外したパーソナルコンピュータ１００の背面図である。
【００４７】
図９に示すように、上前方ケース１１Ａには、図４に示す表示画面２１を前面にして液晶パネル２１０が嵌め込まれており、液晶パネル２１０の裏面側には、液晶パネル２１０を制御する制御基板２１１や、図８にも示す通信インタフェース１１１や、ハードディスク装置１０３などが搭載されたメイン基板２２０や、電力を制御するための電源装置２３０などが重ねて配置されている。パーソナルコンピュータ１００は、筐体フレームの一部である仕切りフレーム２４０によって上下に仕切られており、その仕切りフレーム２４０の下には、スピーカデバイス１０４（図８参照）や各種スイッチ３３ａ，３４ｂ（図４参照）などが搭載されたプリント基板２６０（図１０参照）が収容されている。また、メイン基板２２０とプリント基板２６０は、平板導体を有する幅広のフラットケーブル２５０によって接続されている。プリント基板２６０に装着されたフラットケーブル２５０は、フレーム２４０に設けられた貫通孔２４１を通って、メイン基板２２０に備えられたコネクタ２２１に装着されている。
【００４８】
図１０は、上後方ケース１１Ｂと下後方ケース１２Ｂを取り外したパーソナルコンピュータ１００の背面図である。
【００４９】
図１０に示すように、下前方ケース１２Ａの裏側には冷却ファン２７０が設けられており、図１０では見えていないが、電源装置２３０と冷却ファン２７０との間には、図８に示すＣＰＵ１０１が配置されている。電源装置２３０やＣＰＵ１０１で発生した熱は、冷却ファン２７０から取り込まれた外気によって冷却される。また、下前方ケース１２Ａは筐体フレームの一部である板金フレーム２５５にネジ止めされており、仕切りフレーム２４０の下方には、板金フレーム２５５に固定されたプリント基板２６０が収容されている。また、プリント基板２６０に装着されたフラットケーブル２５０は、フレーム２４０に設けられた窪み２４２と図６に示す貫通孔２４１とを通って、フレーム２４０の上方に配線されている。下前方ケース１２Ａは、上記基本形態における第１部品の一例にあたり、板金フレーム２５５は、上記基本形態における第２部品の一例に相当する。
【００５０】
図１１は、プリント基板２６０が装着された状態の板金フレーム２５５および下前方ケース１２Ａを示す図である。
【００５１】
プリント基板２６０は、フラットケーブル２５０用のコネクタが設けられた表面を下前方ケース１２Ａに向けて、板金フレーム２５５に取り付けられている。フラットケーブル２５０は、一方の端子２５１がプリント基板２６０の表面側に設けられたコネクタに装着され、さらに、結線部分２５２が基板２６１に設けられた貫通孔２６１を通ってプリント基板２６０の裏面側から図７に示すフレーム２４０の上方にまで延ばされて、他方の端子２５１が図７に示すメイン基板２２０のコネクタ２２１に装着される。
【００５２】
また、プリント基板２６０には、下前方ケース１２Ａに向いた前面側に、図４に示す起動スイッチ３４ａや表示スイッチ３４ｂが設けられている。
【００５３】
図１２は、プリント基板２６０を取り外した状態の板金フレーム２５５および下前方ケース１２Ａを示す図であり、図１３は、板金フレーム２５５および下前方ケース１２Ａの分解図である。
【００５４】
図１２に示すように、板金フレーム２５５および下前方ケース１２Ａには、プリント基板２６０に設けられた起動スイッチ３４ａや表示スイッチ３４ｂを外面に露出させるための貫通孔３１０，４１０が設けられている。起動スイッチ３４ａおよび表示スイッチ３４ｂは、上記応用形態における第３部品の一例にあたり、板金フレーム２５５に設けられた貫通孔３１０は、上記応用形態における第３穴の一例にあたり、下前方ケース１２Ａに設けられた貫通孔４１０は、上記応用形態における「第３穴に対応する穴」の一例に相当する。
【００５５】
板金フレーム２５５と下前方ケース１２Ａには、長手方向の左右両側それぞれに３つの固定位置Ｐ，Ｑ，Ｒが用意されている。板金フレーム２５５と下前方ケース１２Ａとを固定する際には、まず、２つの固定位置Ｐ，Ｑで下前方ケース１２Ａが板金フレーム２５５に仮固定され、その後で、固定位置Ｒに設けられたネジ穴３００ａ，４００ａに図７に示すネジ５０が挿入されて、下前方ケース１２Ａが板金フレーム２５５にネジ止めされる。板金フレーム２５５に設けられたネジ穴３００ａは、上述した応用形態におけるネジ穴の一例にあたり、下前方ケース１２Ａに設けられたネジ穴４００ａは、上述した応用形態におけるネジ挿通穴の一例に相当する。
【００５６】
図１３には、下前方ケース１２Ａおよび板金フレーム２５５の背面側が示されている。
【００５７】
下前方ケース１２Ａには、図１２に示す固定位置Ｐに上フック４２０が設けられており、固定位置Ｑに、パーソナルコンピュータ１００の後方に向けて突出した突起４３０と、上方に突出した凸部４４０が設けられている。上フック４２０は、上述した基本形態における係止部の一例にあたり、突起４３０は、上述した基本形態における突起部の一例にあたり、凸部４４０は、上述した応用形態における窪みの一例に相当する。
【００５８】
また、板金フレーム２５５には、固定位置Ｐに下前方ケース１２Ａの上フック４２０が挿入されるフック孔３２０が設けられており、固定位置Ｑに、下前方ケース１２Ａの突起４３０が挿入される突起孔３３０と、突起４３０に下側から干渉する干渉部３４０と、下前方ケース１２Ａの凸部４４０が下側から入り込む凸部３５０とが設けられている。フック孔３２０は、上述した基本形態における第１穴の一例にあたり、突起孔３３０は、上述した基本形態における第２穴の一例に相当する。また、干渉部３４０は、上述した基本形態における部位の一例にあたり、凸部３５０は、上述した応用形態における「窪みに嵌合する突起部」の一例に相当する。
【００５９】
以下では、固定位置Ｐ，Ｑに設けられた各種要素について、１つずつ詳しく説明する。
【００６０】
図１４は、固定位置Ｐ付近における下前方ケース１２Ａの拡大図である。
【００６１】
下前方ケース１２Ａは、パーソナルコンピュータ１００の前面を構成する第１面４０１と、パーソナルコンピュータ１００の底面を構成する第２面４０２とを有しており、ネジ穴４００ａは第２面４０２に設けられている。ネジ穴４００ａが第２面４０２に設けられることによって、図７に示すように、下前方ケース１２Ａと板金フレーム２５５とがパーソナルコンピュータ１００の底面側でネジ止めされることとなり、デザイン性を高めることができる。第１面４０１は、上述した基本形態における第１部品の第１面の一例にあたり、第２面４０２は、上述した応用形態における第１部品の第２面の一例に相当する。
【００６２】
突起４３０は、第１面４０１から垂直に延びて広がる板状部４３１と、第２面４０２から突出して板状部４３１を下方から支持する支持部４３２とを有している。板状部４３１の上面は、第２面４０２に対して平行であり、板状部４３１の下面は、第１面４０１に近づくほど下がった斜面を有している。板状部４３１は、上述した応用形態における第１部品の斜面部の一例にあたり、支持部４３２は、上述した応用形態における支持部の一例に相当する。
【００６３】
凸部４４０は、突起４３０の脇に設けられており、第２面から上方に突出している。
【００６４】
図１５は、板金フレーム２５５の、下前方ケース１２Ａが取り付けられる前面側の拡大図である。
【００６５】
板金フレーム２５５は、下前方ケース１２Ａの第１面４０１と対向してパーソナルコンピュータ１００の前面に配置される第１面３０１と、下前方ケース１２Ａの第２面４０２と対向してパーソナルコンピュータ１００の底面に配置される第２面３０２とを有している。第１面３０１は、上述した基本形態における第２部品の第１面の一例にあたり、第２面３０２は、上述した応用形態における第２部品の第２面の一例に相当する。
【００６６】
フック孔３２０は、下前方ケース１２Ａの上フック４２０がスムーズに挿入されるように、上フック４２０よりも大きく形成されている。また、突起孔３３０は第１面３０１と第２面３０２との双方に広がっており、下前方ケース１２Ａの突起４３０を容易に挿入できるようになっている。
【００６７】
図１６は、板金フレーム２５５の背面側の拡大図である。
【００６８】
図１６に示すように、板金フレーム２５５の干渉部３４０は、第２面３０２から突出した台部３４１と、台部３４１から延びて第１面３０１に近づくほど下がった斜面部３４２とで構成されている。斜面部３４２は、上述した基本形態における第２部品の斜面部の一例にあたり、台部３４１は、上述した応用形態における「第１部品の突起部の移動を規制する部分」に相当する。
【００６９】
また、凸部３５０は、第２面３０２に設けられて上方に突出しており、底面３５１が内側に入り込んでいる。
【００７０】
図１７は、下前方ケース１２Ａが取り付けられた板金フレーム２５５の、固定位置Ｐ，Ｑ，Ｒ付近の拡大図である。
【００７１】
図１７に示すように、固定位置Ｑでは、板金フレーム２５５のフック孔３２０に、下前方ケース１２Ａの上フック４２０が係合しており、固定位置Ｐでは、板金フレーム２５５の突起孔３３０に、下前方ケース１２Ａの突起４３０が挿入され、さらに、突起４３０が干渉部３４０に突き当てられている。
【００７２】
図１８は、板金フレーム２５５のフック孔３２０と下前方ケース１２Ａの上フック４２０との係合部分の断面図である。
【００７３】
図１８に示すように、フック孔３２０は上フック４２０よりも大きめに形成されているため、上フック４２０は緩くフック孔３２０に係合している。固定位置Ｐが固定される前の状態においては、フック孔３２０に上フック４２０を係合した状態で、下前方ケース１２Ａを矢印Ａ方向に回転させることができる。
【００７４】
図１９は、板金フレーム２５５の突起孔３３０と下前方ケース１２Ａの突起４３０との係合部分の断面図である。
【００７５】
下前方ケース１２Ａを矢印Ａ方向に回転させると、下前方ケース１２Ａの板状部４３１が下前方ケース１２Ａが矢印Ｂ方向に移動しつつ板金フレーム２５５の斜面部３４２によって上方に押し上げられる。この下前方ケース１２Ａが押し上げられる方向が、上述した基本形態における第１方向の一例に相当する。
【００７６】
また、下前方ケース１２Ａの突起４３０に設けられた板状部４３１は、下面が前方ほど下がった斜面を有しているため、下前方ケース１２Ａをさらに矢印Ｂ方向に回転させていくと、板金フレーム２５５の台部３４１が下前方ケース１２Ａの板状部４３１の下側に入り込んで干渉し、下前方ケース１２Ａの移動が規制される。
【００７７】
図２０は、板金フレーム２５５の凸部３５０の断面図である。
【００７８】
板金フレーム２５５の凸部３５０は、底面３５１が内側に入り込んでおり、その窪んだ部分に下前方ケース１２Ａの凸部４４０が嵌っている。
【００７９】
図２１は、板金フレーム２５５に下前方ケース１２Ａを着脱する方法を説明するための図である。
【００８０】
図２１（Ａ）に示すように、板金フレーム２５５に下前方ケース１２Ａが装着された状態においては、上フック４２０がフック孔３２０に係合されることよって、板金フレーム２５５が矢印ｍ方向に押し付けられており、下前方ケース１２Ａの板状部４３１と板金フレーム２５５の台部３４１が接触することによって、下前方ケース１２Ａの板状部４３１が矢印ｌ方向に押し付けられている。さらに、板金フレーム２５５の凸部３５０に下前方ケース１２Ａの凸部４４０が嵌ることによって、下前方ケース１２Ａの凸部４４０が板金フレーム２５５を矢印ｉ，ｊ，ｋ方向に押し付けている。このように、下前方ケース１２Ａは板金フレーム２５５に確実に固定されており、この状態でネジ５０を固定することによって、誤装着などを防止することができる。
【００８１】
また、図２１（Ｂ）に示すように、下前方ケース１２Ａに矢印Ｂ方向の力を加えると、板金フレーム２５５の斜面部３４２に沿って下前方ケース１２Ａの板状部４３１が下方向に移動され、板金フレーム２５５の凸部３５０から下前方ケース１２Ａの凸部４４０が外れて、下前方ケース１２Ａが上フック４２０を中心に矢印Ａ方向に回転する。このとき、低強度なプラスチックで構成された下前方ケース１２Ａの上フック４２０や干渉部３４０には無理な応力がかかっていないため、スムーズに着脱することができるうえ、磨耗や破損を防止することができる。このように、本実施形態によると、下前方ケース１２Ａを何度も繰り返し着脱することができる。
【００８２】
また、下前方ケース１２Ａを板金フレーム２５５に装着する場合、図２１（Ｃ）に示すように、上フック４２０がフック孔３２０に正しく挿入されていない状態で下前方ケース１２Ａを矢印Ａ´方向に回転させようとしても、下前方ケース１２Ａの板状部４３１が板金フレーム２５５の斜面部３４２の下に入り込んでしまい、これ以上は、下前方ケース１２Ａを上方に押し上げることができない。本実施形態においては、図７に示すように、下前方ケース１２Ａと板金フレーム２５５をネジ止めするためのネジ穴３００ａ，４００ａが凸部３５０，４４０と同じパーソナルコンピュータ１００の底面側に設けられているため、図２１（Ｃ）の状態ではネジ穴３００ａ，４００ａが連通せず、ネジ止めすることができない。このように、本実施形態によると、板金フレーム２５５に対する下前方ケース１２Ａの誤装着を確実に防止することができる。
【００８３】
ここで、上記では、「課題を解決するための手段」で説明した電子機器の一例としてパーソナルコンピュータが示されているが、この電子機器は、筐体フレームにカバーが装着されるものであれば、テレビや携帯電話機などであってもよい。
【図面の簡単な説明】
【００８４】
【図１】筐体フレームにカバーを固定する１つ目の方法を説明するための図である。
【図２】筐体フレームにカバーを固定する２つ目の方法を説明するための図である。
【図３】筐体フレームにカバーを固定する３つ目の方法を説明するための図である。
【図４】電子機器の具体的な第１実施形態であるパーソナルコンピュータの外観図である。
【図５】パーソナルコンピュータの側面図である。
【図６】パーソナルコンピュータの背面図である。
【図７】パーソナルコンピュータの底面図である。
【図８】パーソナルコンピュータの内部構成図である。
【図９】上後方ケースを取り外したパーソナルコンピュータの背面図である。
【図１０】上後方ケースと下後方ケースを取り外したパーソナルコンピュータの背面図である。
【図１１】プリント基板が装着された状態の板金フレームおよび下前方ケースを示す図である。
【図１２】プリント基板を取り外した状態の板金フレームおよび下前方ケースを示す図である。
【図１３】板金フレームおよび下前方ケースの分解図である。
【図１４】固定位置Ｐ付近における下前方ケースの拡大図である。
【図１５】板金フレームの、下前方ケースが取り付けられる前面側の拡大図である。
【図１６】板金フレームの背面側の拡大図である。
【図１７】下前方ケースが取り付けられた板金フレームの、固定位置Ｐ，Ｑ，Ｒ付近の拡大図である。
【図１８】板金フレームのフック孔と下前方ケースの上フックとの係合部分の断面図である。
【図１９】板金フレームの突起孔と下前方ケースの突起との係合部分の断面図である。
【図２０】板金フレームの凸部の断面図である。
【図２１】板金フレームに下前方ケースを着脱する方法を説明するための図である。
【符号の説明】
【００８５】
１００    パーソナルコンピュータ
１１Ａ    上前方ケース
１１Ｂ    上後方ケース
１２Ａ    下前方ケース
１２Ｂ    下後方ケース
２１    表示画面
３１    光ディスク装填口
３２    ＦＤ装填口
３３    拡張カード装填口
１０１    ＣＰＵ
１０２    主メモリ
１０３    ハードディスク装置
１０４    スピーカデバイス
１０５    入力インタフェース
１０６    操作子
１０７    表示装置
１０８    ＦＤドライブ
１０９    ＣＤ／ＤＶＤドライブ
１１０    出力インタフェース
１１１    通信インタフェース
１１２    バス
２１０    液晶パネル
２１１    制御基板
２２０    メイン基板
２２１    コネクタ
２３０    電源装置
２４０    仕切りフレーム
２４１    貫通孔
２４２    窪み
２５０    フラットケーブル
２６０    プリント基板
２６１    貫通孔
２６２    コネクタ
２７０    冷却ファン
【図１】
0004585562.tif 000002
【図２】
0004585562.tif 000003
【図３】
0004585562.tif 000004
【図４】
0004585562.tif 000005
【図５】
0004585562.tif 000006
【図６】
0004585562.tif 000007
【図７】
0004585562.tif 000008
【図８】
0004585562.tif 000009
【図９】
0004585562.tif 000010
【図１０】
0004585562.tif 000011
【図１１】
0004585562.tif 000012
【図１２】
0004585562.tif 000013
【図１３】
0004585562.tif 000014
【図１４】
0004585562.tif 000015
【図１５】
0004585562.tif 000016
【図１６】
0004585562.tif 000017
【図１７】
0004585562.tif 000018
【図１８】
0004585562.tif 000019
【図１９】
0004585562.tif 000020
【図２０】
0004585562.tif 000021
【図２１】
0004585562.tif 000022